(57)【要約】【課題】本発明の課題は、裁断・縫製工数の削減及びコストの削減並びに良好な着用感の確保を可能とし得る衣類の膨出部及び該膨出部を備えた男性用下半身衣類及びそれらの製造方法を提供することである。【解決手段】本発明に係る衣類の膨出部（１）は、凸部の頂点領域（２）と、その周囲の辺縁部領域（３）とを備えており、前記凸部の頂点領域（２）は、プレーン編などの前記辺縁部領域（３）よりも伸びやすい編組織で編成された編生地で構成されており、また、前記辺部領域（３）は、ニットミス編又はタック編などを含み前記凸部の頂点領域（２）よりも伸びにくい編組織で編成された編生地で構成されており、しかも、前記凸部の頂点領域（２）が前記辺縁部領域（３）よりも大きい度目で編成されていると共に、両領域（２）、（３）が一連に編成されている。【選択図】図１
2010174392.tif 000002
【特許請求の範囲】
【請求項１】
凸部の頂点領域と、その周囲の辺縁部領域とを備えており、前記凸部の頂点領域は、プレーン編などの前記辺縁部領域よりも伸びやすい編組織で編成された編生地で構成されており、また、前記辺部領域は、ニットミス編又はタック編などを含み前記凸部の頂点領域よりも伸びにくい編組織で編成された編生地で構成されており、しかも、前記凸部の頂点領域が前記辺縁部領域よりも大きい度目で編成されていると共に、両領域が一連に編成されていることを特徴とする衣類の膨出部。
【請求項２】
前記凸部の頂点領域と辺縁部領域との間に、プレーン編などの辺縁部領域よりも伸びやすい編組織で編成された編生地からなる度目差の緩衝領域が形成されていることを特徴とする請求項１に記載の衣類の膨出部。
【請求項３】
前記凸部の頂点領域は、伸縮性の糸で編成されていることを特徴とする請求項１又２に記載の衣類の膨出部。
【請求項４】
前記請求項１〜３の何れかに記載の衣類の膨出部を、部分度目調整機能付き丸編機により筒体の周方向２箇所の位置に対称に編成し、この筒体から各膨出部を辺縁部領域の周囲で切り取って２つ分の膨出部として製造することを特徴とする衣類の膨出部の製造方法。
【請求項５】
前記請求項１〜３の何れかに記載の衣類の膨出部を、男性用下半身衣類のパンツ部の前身頃中央部に前記辺縁部領域の周囲で縫着してあることを特徴とする男性用下半身衣類。
【請求項６】
前記請求項１〜３の何れかに記載の衣類の膨出部を、部分度目調整機能付き丸編機により筒体の周方向２箇所の位置に対称に編成し、この筒体から各膨出部を辺縁部領域の周囲で切り取って２つ分の膨出部とし、この膨出部を男性用下半身衣類のパンツ部の前身頃中央部に該膨出部の辺縁部領域の周囲で縫着して２つ分の男性用下半身衣類を製造することを特徴とする男性用下半身衣類の製造方法。
【請求項７】
前記男性用下半身衣類は、パンツ部と脚筒部とを備えたタイプである場合、左右の脚筒部が別々の筒体として編成され、その際、左右の脚筒部にはパンツ部の左右半分ずつが一連の筒体として編成され、その後、左右のパンツ部が左右方向に対向する側面で股下部からウエスト部まで切り開かれ、この切り開かれた部分を後身頃側では左右のものを互いに縫合し、前身頃側には前記膨出部を間に縫合してパンツ部を形成することにより男性用下半身衣類を製造することを特徴とする男性用下半身衣類の製造方法。
【発明の詳細な説明】
【技術分野】
【０００１】
本発明は、男性用下半身衣類や女性用ブラジャーなどの膨出部を備えた衣類の膨出部及び該膨出部を備えた男性用下半身衣類及びそれらの製造方法に関するものである。
【背景技術】
【０００２】
従来、男性用下半身衣類や女性用ブラジャーなどの膨出部は、人体の凸部形状に対応させた立体的形状を作り出すために、生地を平面的に展開した複数の片に分割して裁断し、それらの各片を分割線など裁断線に沿って縫合することによって立体的に形成している（例えば、特許文献１、２参照）。
【先行技術文献】
【特許文献】
【０００３】
【特許文献１】特開平９−２１７２０１号公報
【特許文献２】特開２００７−２３９１２４号公報
【発明の概要】
【発明が解決しようとする課題】
【０００４】
ところが、従来の衣類の膨出部は、凸部の頂点領域を横切るように各分割片同士の縫合線が出来るため、この縫合線上で生地の剛性が局部的に高まり、ゴワツキが生じて肌触りを悪化させ、その上、縫合線方向の生地の伸縮性が損なわれ、また、膨出部全体の生地の自由度乃至柔軟性が損なわれて着用感を悪化させるという問題点があった。また、従来の衣類の膨出部の製造方法は、生地の裁断工程及び縫製工程が多段階におよび工数及びコストがかかる上に、各片を分割線に沿って立体的に縫製する必要があり、熟練技術を要するという問題点があった。さらに、従来の男性用下半身衣類は、上記膨出部を取り付けているため、男性の局部の自由度を阻害し、圧迫感や違和感を与えるという問題点があった。
【０００５】
本発明は、裁断・縫製工数の削減及びコストの削減並びに良好な着用感の確保を可能とし得る衣類の膨出部及び該膨出部を備えた男性用下半身衣類及びそれらの製造方法を提供することを目的としている。
【課題を解決するための手段】
【０００６】
前記目的を達成するために本発明に係る衣類の膨出部は、凸部の頂点領域と、その周囲の辺縁部領域とを備えており、前記凸部の頂点領域は、プレーン編などの前記辺縁部領域よりも伸びやすい編組織で編成された編生地で構成されており、また、前記辺縁部領域は、ニットミス編又はタック編などを含み前記凸部の頂点領域よりも伸びにくい編組織で編成された編生地で構成されており、しかも、前記凸部の頂点領域が前記辺縁部領域よりも大きい度目で編成されていると共に、両領域が一連に編成されていることを特徴としている。
【０００７】
この構成によれば、編組織の密度差及び異なる編組織との組み合わせによって衣類の膨出部を形成しているため、凸部の頂点領域を横切るような縫合線をなくすことができ、ゴワツキをなくすと共に編生地の伸縮性及び柔軟性を十分に活用することができて、良好な着用感を得ることができる。
また、本発明に係る衣類の膨出部は、前記凸部の頂点領域と辺縁部領域との間に、プレーン編などによる辺縁部領域よりも伸びやすい編組織で編成された編生地からなる度目差の緩衝領域が形成されていることを特徴としている。
【０００８】
この構成によれば、衣類の膨出部における凸部の頂点領域と辺縁部領域との境界部の編組織の密度を緩やかに変化させることができる。
前記凸部の頂点領域は、伸縮性の糸で編成されていることが好ましい。
この構成によれば、生地の伸縮性及び柔軟性を一層良好にすることができる。
本発明に係る衣類の膨出部の製造方法は、前記の何れかに記載の衣類の膨出部を、部分度目調整機能付き丸編機により筒体の周方向２箇所の位置に対称に編成し、この筒体から各膨出部を辺縁部領域の周囲で切り取って２つ分の膨出部として製造することを特徴としている。
【０００９】
この構成によれば、編組織の密度差と異なる編組織との組み合わせによって衣類の膨出部を形成することができ、生地の裁断工程及び縫製工程の工数及びコストを削減することができ、良好な着用感を備えた衣類の膨出部を容易に製造することができる。
本発明に係る男性用下半身衣類は、前記の何れかに記載の衣類の膨出部を、男性用下半身衣類のパンツ部の前身頃中央部に前記辺縁部領域の周囲で縫着してあることを特徴としている。
この構成によれば、膨出部の辺縁部領域によって男性の局部の横ずれをなくしつつ男性の局部を膨出部の凸部の頂点領域内にゆったりと収納させることができ、自由度を阻害せず、良好な着用感を備えた男性用下半身衣類を提供することができる。
【００１０】
また、本発明に係る男性用下半身衣類の製造方法は、前記の何れかに記載の衣類の膨出部を、部分度目調整機能付き丸編機により筒体の周方向２箇所の位置に対称に編成し、この筒体から各膨出部を辺縁部領域の周囲で切り取って２つ分の膨出部とし、この膨出部を男性用下半身衣類のパンツ部の前身頃中央部に該膨出部の辺縁部領域の周囲で縫着して２つ分の男性用下半身衣類を製造することを特徴としている。
この構成によれば、生地の裁断工程及び縫製工程の工数及びコストを削減することができ、しかも、膨出部の辺縁部領域によって男性の局部の横ずれをなくしつつ男性の局部を膨出部の凸部の頂点領域内にゆったりと収納させることができ、自由度を阻害せず、良好な着用感を備えた男性用下半身衣類を効率よく製造することができる。
【００１１】
さらに、本発明に係る男性用下半身衣類の製造方法は、前記男性用下半身衣類が、パンツ部と脚筒部とを備えたタイプである場合、左右の脚筒部が別々の筒体として編成され、その際、左右の脚筒部にはパンツ部の左右半分ずつが一連の筒体として編成され、その後、左右のパンツ部が左右方向に対向する側面で股下部からウエスト部まで切り開かれ、この切り開かれた部分を後身頃側では左右のものを互いに縫合し、前身頃側には前記膨出部を間に縫合してパンツ部を形成することにより男性用下半身衣類を製造することを特徴としている。
【００１２】
この構成によれば、トランクスタイプ、ボクサーパンツタイプ、ズボン下類、タイツ類などの男性用下半身衣類を効率よく製造することができ、しかも、裁断・縫製工数の削減及びコストの削減並びに良好な着用感の確保を可能とし得る。
【発明の効果】
【００１３】
本発明によれば、裁断・縫製工数の削減及びコストの削減並びに良好な着用感の確保を可能とし得る衣類の膨出部及び該膨出部を備えた男性用下半身衣類及びそれらの製造方法を提供することができる。
【図面の簡単な説明】
【００１４】
【図１】本発明に係る衣類の膨出部の実施形態の一例を示す編生地の概略平面図であって、各領域を異なる色調で表示している。
【図２】（Ａ）（Ｂ）（Ｃ）（Ｄ）（Ｅ）は図１の編生地の各領域の編組織図である。
【図３】本発明に係る男性用下半身衣類の概略正面図である。
【図４】図３の男性用下半身衣類の製造方法の一例を示す分解説明図である。
【発明を実施するための形態】
【００１５】
以下、本発明の実施形態を図面を参照して説明する。
本発明に係る衣類の膨出部１は、図１に示すように、凸部の頂点領域２と、その周囲の辺縁部領域３とを備えている。前記凸部の頂点領域２は、プレーン編などの前記辺縁部領域３よりも伸びやすい編組織で編成された編生地で構成されている。また、前記辺縁部領域３は、ニットミス編又はタック編などを含み前記凸部の頂点領域２よりも伸びにくい編組織で編成された編生地で構成されている。しかも、前記凸部の頂点領域２が前記辺縁部領域３よりも大きい度目で編成されていると共に、両領域２，３が一連に編成されている。
【００１６】
前記凸部の頂点領域２と辺縁部領域３との間には、プレーン編などの辺縁部領域３よりも伸びやすい編組織で編成された編生地からなる度目差の緩衝領域４が形成されている。また、辺縁部領域３の外側周囲には、ニットミス編又はタック編の編組織で編成された外側領域５が形成されている。
前記凸部の頂点領域２は、人体の凸部の形状に合わせて形成され、その生地としては、プレーン編（平編）などの伸びやすい編組織（前記辺縁部領域３に比べて）に加え、編機の部分度目調整機能を付与し、さらに度目を大きくする（例えば、部分度目：０．８ｍｍとする）ことにより伸びをより大きく形成する。
【００１７】
また、前記辺縁部領域３は、ニットミス編やタック編などを含む伸びにくい編組織（前記凸部の頂点領域２に比べて）を通常度目で編成することにより、前記凸部の頂点領域２との伸縮差を持たせ、縦方向の伸びと置き寸法（自然状態の寸法）を小さくすることで、身生地の裁断部に生地が過不足無く縫合でき、且つ、人体の凸部に適合する膨出部１の容量を確保することができる。
図１は、男性用下半身衣類に適用するための膨出部１を例示しており、凸部の頂点領域２を図１の縦方向に長軸を持つ楕円形に形成し、上部に上腹部６を一連に形成している。上腹部６には、上中下３本の横縞部７ａ、７ｂ、７ｃが等間隔で形成されている。この横縞部７ａ、７ｂ、７ｃは、前記外側領域５よりも伸縮性を大きくしたニットミス編又はタック編などの編組織で編成されている。なお、上腹部６の中央部には、前記辺縁部領域３と同じ編組織の縦縞部８ａ、８ｂ、８ｃが図１の縦方向に３本を等間隔に形成されており、これらの縦縞部８ａ、８ｂ、８ｃと横縞部７ａ、７ｂ、７ｃとの間に前記度目差の緩衝領域４と同じ編組織の小膨出部９ａ、９ｂ、９ｃ、９ｄが浮島状に形成されている。上腹部６の構成は、上記に制約されるものではなく、この膨出部１が適用される男性用下半身衣類の左右の編組織形態と同じ仕様とされるのが好ましいものである。
【００１８】
図１に示す衣類の膨出部１の各部の編組織は、図２（Ａ）〜（Ｅ）に示しており、横縞部７ａ〜７ｃの編組織は、図２（Ａ）に示すように、１：２ニットミスストライプとされ、外側領域５の編組織は、図２（Ｂ）に示すように、１：１ニットミスメッシュとされ、緩衝領域４の編組織は、図２（Ｃ）に示すように、プレーン（平編み）とされ、凸部の頂点領域２は、図２（Ｄ）に示すように、プレーン（図２（Ｃ）の編組織）＋部分度目０．８ｍｍの編組織とされ、辺縁部領域３の編組織は、図２（Ｅ）に示すように、２：２ニットミス（７コース飛ばし）とされている。しかし、これに限定されるものではない。例えば、凸部の頂点領域２をプレーン編としているが、これ以外の辺縁部領域３よりも伸びやすい編組織の生地で構成してもよい。また、辺縁部領域３をニットミス編としているが、これ以外のタック編その他の凸部頂点領域２よりも伸びにくい編組織の生地で構成してもよい。
【００１９】
本発明に係る衣類の膨出部１は、全体を伸縮性の糸で編成されるのが好ましいが、少なくとも、前記凸部の頂点領域２が伸縮性の糸で編成されていればよい。なお、図１は、各領域を明確にするために、異なる色調で表示しているが、全て同色の糸で編成されるものである。
糸仕様：膨出部１にフィットする伸縮性を有する糸
例）表糸：３０デニール  ウーリーナイロン
裏糸：ＤＣＹ（ダブルカバードヤーン）
辺縁部領域：上記プレーティングベース＋ＳＣＹ（シングルカバリングヤ                          ーン）×６０デニール  ウーリーナイロン
前記衣類の膨出部１は、部分度目調整機能付き丸編機（図示省略）により編成するもので、その際、前記丸編機で筒状に編成される筒体の周方向２箇所の位置に前記膨出部１を対称に編成し、この筒体から各膨出部１を辺縁部領域３の周囲で裁断線１０（図１参照）に沿って切り取って２つ分の膨出部１として製造するのが好ましい。
【００２０】
部分度目機能付き丸編機としては、例えば、（伊）サントニー社製  ＳＭ４−Ｃ（針本数  ６１６本）のものが使用可能である。
前記切り取られた衣類の膨出部１は、図３に示すように、男性用下半身衣類１１のパンツ部１２の前身頃中央部に前記辺縁部領域３の周囲で一体に縫着される。この場合、図３の男性用下半身衣類１１は、パンツ部１２と脚筒部１３とを備えたタイプであるため、左右の脚筒部１３を、図４に示すように、別々の筒体として編成し、その際、左右の脚筒部１３にはパンツ部１２の左右半分ずつを一連の筒体として編成し、その後、左右のパンツ部１２を左右方向に対向する側面で股下部１４からウエスト部１５まで切り開き部１６を形成し、この切り開き部分１６を後身頃側では左右のものを互いに縫合し、前身頃側では前記膨出部１を間に縫合してパンツ部１２を形成することにより男性用下半身衣類１１を製造するのが好ましい。この場合、膨出部１の上部の上腹部６の構成は、左右のパンツ部１２の編組織の形態と同じ仕様とし、外観、機能に違和感のないようにしている。
【００２１】
本発明の実施形態は、以上の構成からなり、次に、その作用効果を説明する。
本発明に係る衣類の膨出部１は、凸部の頂点領域２と、その周囲の辺縁部領域３とを備えており、前記凸部の頂点領域２は、プレーン編などの前記辺縁部領域３よりも伸びやすい編組織で編成された編生地で構成されており、また、前記辺縁部領域３は、ニットミス編又はタック編などを含み前記凸部の頂点領域２よりも伸びにくい編組織で編成された編生地で構成されており、しかも、前記凸部の頂点領域２が前記辺縁部領域３よりも大きい度目で編成されていると共に、両領域２，３が一連に編成されているため、両領域２，３の編組織の密度差と異なる編組織との組み合わせによって男性局部にマッチした自然な凸部である衣類の膨出部１を形成していることになり、凸部の頂点領域２を横切るような縫合線をなくすことができ、ゴワツキをなくすと共に編生地の伸縮性及び柔軟性を十分に活用することができて、良好な着用感を得ることができる。
【００２２】
また、本発明に係る衣類の膨出部１は、前記凸部の頂点領域２と辺縁部領域３との間に、プレーン編などの辺縁部領域３よりも伸びやすい編組織で編成された編生地からなる度目差の緩衝領域４が形成されているため、衣類の膨出部１における凸部の頂点領域２と辺縁部領域３との境界部の編組織の密度を緩やかに変化させることができる。
そして、前記凸部の頂点領域２は、伸縮性の糸で編成されているため、生地の伸縮性及び柔軟性を一層良好にすることができる。
また、本発明に係る衣類の膨出部１の製造方法は、前記の何れかに記載の衣類の膨出部１を、部分度目調整機能付き丸編機により筒体の周方向２箇所の位置に対称に編成し、この筒体から各膨出部１を辺縁部領域３の周囲で切り取って２つ分の膨出部１として製造することにより、編組織の密度差及び異なる編組織との組み合わせによって衣類の膨出部１を形成することができ、生地の裁断工程及び縫製工程の工数及びコストを削減することができ、良好な着用感を備えた衣類の膨出部１を容易に製造することができる。
【００２３】
また、本発明に係る男性用下半身衣類１１は、前記の何れかに記載の衣類の膨出部１を、男性用下半身衣類１１のパンツ部１２の前身頃中央部に前記辺縁部領域３の周囲で縫着してあるため、膨出部１の辺縁部領域３によって男性の局部の横ずれをなくしつつ男性の局部を膨出部１の凸部の頂点領域２内にゆったりと収納させることができ、自由度を阻害せず、良好な着用感を備えた男性用下半身衣類１１を提供することができる。
さらに、本発明に係る男性用下半身衣類１１の製造方法は、前記の何れかに記載の衣類の膨出部１を、部分度目調整機能付き丸編機により筒体の周方向２箇所の位置に対称に編成し、この筒体から各膨出部１を辺縁部領域３の周囲で切り取って２つ分の膨出部１とし、この膨出部１を男性用下半身衣類１１のパンツ部１２の前身頃中央部に該膨出部１の辺縁部領域３の周囲で縫着して２つ分の男性用下半身衣類１１を製造するようにしているため、生地の裁断工程及び縫製工程の工数及びコストを削減することができ、しかも、膨出部１の辺縁部領域３によって男性の局部の横ずれをなくしつつ男性の局部を膨出部１の凸部の頂点領域２内にゆったりと収納させることができ、自由度を阻害せず、良好な着用感を備えた男性用下半身衣類を効率よく製造することができる。
【００２４】
また、本発明に係る男性用下半身衣類１１の製造方法は、前記男性用下半身衣類１１が、パンツ部１２と脚筒部１３とを備えたタイプである場合、左右の脚筒部１３が別々の筒体として編成され、その際、左右の脚筒部１３にはパンツ部１２の左右半分ずつが一連の筒体として編成され、その後、左右のパンツ部１２が左右方向に対向する側面で股下部からウエスト部まで切り開かれ、この切り開かれた部分を後身頃側では左右のものを互いに縫合し、前身頃側では前記膨出部１を間に縫合してパンツ部１２を形成することにより男性用下半身衣類１１を製造するようにしているため、トランクスタイプ、ボクサーパンツタイプ、ズボン下類、タイツ類などの男性用下半身衣類１１を効率よく製造することができ、しかも、裁断・縫製工数の削減及びコストの削減並びに良好な着用感の確保を可能とし得る。
【００２５】
さて、本発明は、以上の実施形態からなるが、本発明は、この実施形態にのみ制約されるものではなく、特許請求の範囲に記載した構成の範囲内で種々変更して実施することができる。
【産業上の利用可能性】
【００２６】
本発明は、男性用下半身衣類（ブリーフ、トランクス、ボクサーパンツ、ズボン下、タイツなど）の他、女性用ブラジャー、膝や肘のサポータ等の膨出部を有する衣類の全般に利用可能である。
【符号の説明】
【００２７】
１    衣類の膨出部
２    凸部の頂点領域
３    辺縁部領域
４    度目の緩衝領域
５    外側領域
６    上腹部
７ａ〜７ｃ    横縞部
８ａ〜８ｃ    縦縞部
９ａ〜９ｄ    小膨出部
１０    裁断線
１１    男性用下半身衣類
１２    パンツ部
１３    脚筒部
１４    股下部
１５    ウエスト部
１６    切り開き部
【図１】
2010174392.tif 000003
【図２】
2010174392.tif 000004
【図３】
2010174392.tif 000005
【図４】
2010174392.tif 000006